(57)【要約】【課題】視認性を向上させることができる表示装置を提供する。【解決手段】表示装置１は、ケース７０と、ケース７０に設けられる表示面１５を含み、表示面１５に情報を表示する第１表示部１０と、視認者から見て表示面１５から離れて位置する空間像面５０に空間像５１を表示する第２表示部２０と、を備え、空間像面５０は表示面１５と同一方向に沿って延びる。この構成によれば、ガイドフレーム３０により表示面１５と空間像面５０に一体感を与えることができる。これにより、表示装置１における視認性を向上させることができる。【選択図】図３
2019006180.tif 000002
【特許請求の範囲】
【請求項１】
ケースと、
前記ケースに設けられる表示面を含み、前記表示面に情報を表示する第１表示部と、
視認者から見て前記ケースから離れて位置する空間像面に空間像を表示する第２表示部と、を備え、
前記空間像面は前記表示面と同一方向に沿って延びる、
表示装置。
【請求項２】
前記表示面及び前記空間像面は、同一平面上に位置する、
請求項１に記載の表示装置。
【請求項３】
視認者から見て前記表示面と前記空間像面の間であって前記空間像面の下方に位置するガイド部材を備える、
請求項１又は２に記載の表示装置。
【請求項４】
前記ガイド部材は、前記表示面に沿うように形成される、
請求項３に記載の表示装置。
【請求項５】
前記ガイド部材は、前記表示面の上部と前記空間像面の下部との間に延びる連結面を備える、
請求項３又は４に記載の表示装置。
【発明の詳細な説明】
【技術分野】
【０００１】
本発明は、表示装置に関する。
【背景技術】
【０００２】
例えば、特許文献１には、筐体の上方に空間像を表示する表示装置が開示されている。
また、例えば、特許文献２には、車速、エンジン回転数等の情報を指針によるアナログ表示又はディスプレイによるデジタル表示する計器装置が開示されている。
【先行技術文献】
【特許文献】
【０００３】
【特許文献１】特開２０１４−２３８４９２号公報
【特許文献２】特開２０１１−１３３３４９号公報
【発明の概要】
【発明が解決しようとする課題】
【０００４】
本願発明者は、上記計器装置において、さらに上記空間像を表示可能に構成することを検討している。しかし、この構成においては、空間像は計器装置に表示される情報と離れて位置することから、表示として一体感がなく、視認性が低下するおそれがあった。
【０００５】
本発明は、上記実状を鑑みてなされたものであり、視認性を向上させることができる表示装置を提供することを目的とする。
【課題を解決するための手段】
【０００６】
上記目的を達成するため、本発明に係る表示装置は、ケースと、前記ケースに設けられる表示面を含み、前記表示面に情報を表示する第１表示部と、視認者から見て前記ケースから離れて位置する空間像面に空間像を表示する第２表示部と、を備え、前記空間像面は前記表示面と同一方向に沿って延びる。
【発明の効果】
【０００７】
本発明によれば、表示装置において、視認性を向上させることができる。
【図面の簡単な説明】
【０００８】
【図１】本発明の第１の実施形態に係る表示装置の斜視図である。
【図２】本発明の第１の実施形態に係る（ａ）は正面図であり、（ｂ）は平面図であり、（ｃ）は側面図である。
【図３】本発明の第１の実施形態に係る図２（ｂ）のＡ−Ａ線断面図である。
【図４】本発明の第１の実施形態に係るスモーク層及びマイクロミラーアレイの断面図である。
【図５】本発明の第１の実施形態に係る表示装置のブロック図である。
【図６】本発明の第２の実施形態に係る第１導光部材の点灯時における、（ａ）は表示装置の一部を示す正面図であり、（ｂ）は表示装置の一部を示す断面図である。
【図７】本発明の第２の実施形態に係る第２導光部材の点灯時における、（ａ）は表示装置の一部を示す正面図であり、（ｂ）は表示装置の一部を示す断面図である。
【図８】本発明の第２の実施形態に係る第３導光部材の点灯時における、（ａ）は表示装置の一部を示す正面図であり、（ｂ）は表示装置の一部を示す断面図である。
【図９】本発明の第３の実施形態に係る表示装置の斜視図である。
【図１０】本発明の第３の実施形態に係る（ａ）は正面図であり、（ｂ）は平面図であり、（ｃ）は側面図である。
【図１１】本発明の第３の実施形態に係る図１０（ｂ）のＢ−Ｂ線断面図である。
【図１２】本発明の第４の実施形態に係る（ａ）は正面図であり、（ｂ）は平面図であり、（ｃ）は側面図である。
【図１３】本発明の第４の実施形態に係る図１２（ｂ）のＣ−Ｃ線断面図である。
【発明を実施するための形態】
【０００９】
（第１の実施形態）
本発明に係る表示装置の第１の実施形態について図１〜図５を参照しつつ説明する。なお、以下では、表示装置を視認する視認者（例えば運転者）から見て、視認者に近づく方向を前方向と規定し、視認者から離れる方向を後方向と規定する。
【００１０】
表示装置１は、図３に示すように、第１表示部１０と、第２表示部２０と、ガイドフレーム３０と、スモーク層６０と、ケース７０と、光源ユニット９０と、を備える。
【００１１】
ケース７０は、図１に示すように、遮光性を有する合成樹脂により中空の直方体で形成されている。ケース７０には、その前側において前方に向けて開口する第１開口部７１が形成されている。第１開口部７１は略６角形状をなす。第１開口部７１には第１表示部１０が嵌め込まれている。
また、ケース７０には、その上面において上方に向けて開口する第２開口部７２が形成されている。第２開口部７２は、前後方向に長い長方形状をなす。第２開口部７２には、互いに積層されるマイクロミラーアレイ４０及びスモーク層６０が嵌め込まれている。
【００１２】
第１表示部１０は、図３に示すように、ＴＦＴ（Thin Film Transistor）液晶パネルからなる表示パネル１１と、表示パネル１１の背面側に位置し、表示パネル１１に照明光を照射するバックライト１２と、表示パネル１１の前側に位置するカバーガラス１３と、を備える。
第１表示部１０は、図１に示すように、その表示面１５を前側に向けて露出するように、ケース７０の第１開口部７１に配置されている。表示パネル１１の表示面１５には、後述する制御部１００による制御のもと、車両情報を表す画像が表示される。表示パネル１１の表示面１５は、上方に向かうにつれて後方へ傾斜している。
【００１３】
また、第１表示部１０は、表示面１５の周囲に位置するインジケータ部１４を備える。インジケータ部１４は、各種警告に係るアイコンからなり、車載ＥＣＵ（Electronic Control Unit）からの情報に基づきアイコンを点灯させる。例えば、インジケータ部１４は、何れも図示しない、カバーガラス１３における表示面１５の周囲に形成される遮光層と、その遮光層の一部が省略されることで形成されるアイコンと、そのアイコンに後側から光を照射する光源と、を備える。
【００１４】
また、第１表示部１０は、図２（ａ）に示すように、視認者から見て、左右方向に長い略六角形をなし、左側傾斜辺１０Ｌ及び右側傾斜辺１０Ｒを備える。左側傾斜辺１０Ｌ及び右側傾斜辺１０Ｒは、上方に向かうにつれて第１表示部１０の中央に近づくように傾斜する。
【００１５】
第２表示部２０は、図３に示すように、ケース７０から離れてケース７０の上方に位置する仮想的な空間像面５０に空間像５１を表示する。詳しくは、第２表示部２０は、表示光Ｌを出射する表示器２３と、表示光Ｌに基づき空間像面５０に空間像５１を表示するマイクロミラーアレイ４０と、を備える。
【００１６】
表示器２３は、図３に示すように、ＴＦＴ液晶パネル又はＤＭＤ（Digital Micro-mirror Device）素子からなる表示パネル２１と、表示パネル２１の背面側に位置し、表示パネル２１に照明光を照射するバックライト２２と、を備える。
第２表示部２０は、ケース７０内における第１表示部１０の後方に配置される。第２表示部２０は、後述する制御部１００による制御のもと、表示パネル２１に車両情報を含む画像を長方形の表示領域に表示しつつバックライト２２を通じて照明光を照射する。これにより、第２表示部２０は、画像を表す表示光Ｌを後方斜め上へマイクロミラーアレイ４０に向けて出射する。
【００１７】
マイクロミラーアレイ４０は、表示器２３からの表示光Ｌに基づき、ケース７０の外部に位置する空間像面５０に空間像５１を結像させる。マイクロミラーアレイ４０は、ケース７０の第２開口部７２を塞ぐように長方形板状をなす。マイクロミラーアレイ４０は、表示器２３からの表示光Ｌを前方斜め上に向けて反射させて空間像面５０に光を集める図示しない多数のマイクロミラー（コーナーリフレクタ）を備える。
空間像面５０は、空間像５１を表示可能な仮想的な領域であり、マイクロミラーアレイ４０を中心に表示器２３に対して面対称位置に形成される。また、空間像面５０は、ケース７０の上面における第２開口部７２の前方であって、ケース７０の上面から一定距離だけ離れて位置する。この一定距離は、ガイドフレーム３０の高さよりも大きく設定される。空間像面５０は、表示パネル２１の画像と同様に長方形の表示領域をなすとともに、第１表示部１０の表示面１５に沿って、上方に向かうにつれて後方へ傾斜する。
【００１８】
スモーク層６０は、図４に示すように、マイクロミラーアレイ４０の上面に積層されている。スモーク層６０は、例えば透過率が２０％程度に調整された暗色系の光透過性樹脂により形成される。スモーク層６０は、視認者から見て、空間像面５０の背景となる範囲に形成される。例えば、視認者の視点のずれを考慮して、スモーク層６０は空間像面５０よりも大きい長方形状に形成されている。スモーク層６０は、背景と空間像５１のコントラストを上げる機能と、外光を吸収又は反射することで外光がケース７０内に侵入することを抑制する機能とを有する。
スモーク層６０はフィルム又は板材からなり、そのフィルム又は板材をマイクロミラーアレイ４０の上面に光透過性接着剤により接着する。また、これに限らず、スモーク層６０はマイクロミラーアレイ４０の上面に塗装又は印刷により形成されてもよい。
【００１９】
ガイドフレーム３０は、図１に示すように、視認者から見て第１表示部１０の表示面１５と空間像面５０の間であって、図３に示すように空間像面５０の直下に位置する。ガイドフレーム３０は、視認者が空間像５１に視点を合わせることをガイドするための構造物である。詳しくは、ガイドフレーム３０は、アクリル等の光透過性樹脂により形成され、ケース７０の上面において第２開口部７２よりも前方に位置する。
【００２０】
図１に示すように、ガイドフレーム３０は、フレーム状、より詳しくはアーチ状に形成されている。ガイドフレーム３０の右側端部３０Ｒ及び左側端部３０Ｌはケース７０の上壁に挿通されている。ガイドフレーム３０がアーチ状をなしているため、ガイドフレーム３０はケース７０の上面との間に透視孔３４を有する。また、ガイドフレーム３０の頂点の上方に空間像面５０が形成されている。また、視認者から見た左右方向において、ガイドフレーム３０の中央に空間像面５０が位置する。また、ガイドフレーム３０は、図２（ｃ）及び図３に示すように、側方から見て、第１表示部１０の表示面１５と空間像面５０に沿う方向に傾斜している。すなわち、ガイドフレーム３０は、上方へ向かうにつれて後方へ傾斜している。
図２（ａ）に示すように、ガイドフレーム３０の右側端部３０Ｒ及び左側端部３０Ｌは、視認者から見て、第１表示部１０の左側傾斜辺１０Ｌ及び右側傾斜辺１０Ｒに連結するように位置する。これにより、表示装置１にデザイン的な一体感を与えることができ、表示装置１の意匠性を高めることができる。
【００２１】
光源ユニット９０は、ガイドフレーム３０を点灯させる。詳しくは、光源ユニット９０は、図３に示すように、基板９１と、その基板９１の上面に実装される光源９２Ｒ，９２Ｌと、を備える。基板９１は、ケース７０内においてガイドフレーム３０に対向する位置に設けられている。
各光源９２Ｒ，９２Ｌは、本例では何れも白色光を照射するＬＥＤ（Light Emitting Diode）により構成され、基板９１の上面に実装される。各光源９２Ｒ，９２Ｌは、エッジライト方式によりガイドフレーム３０を点灯させる。
図２（ａ），（ｂ）に示すように、光源９２Ｒは、ガイドフレーム３０の右側端部３０Ｒに対向する位置に設けられ、右側端部３０Ｒに光を照射する。光源９２Ｌは、ガイドフレーム３０の左側端部３０Ｌに対向する位置に設けられ、左側端部３０Ｌに光を照射する。
光源９２Ｒ，９２Ｌは、後述する制御部１００による制御のもと、対応するガイドフレーム３０の右側端部３０Ｒ及び左側端部３０Ｌに光を照射する。右側端部３０Ｒ及び左側端部３０Ｌから入射した光はガイドフレーム３０の全域にわたって導かれる。これにより、ガイドフレーム３０が点灯する。
【００２２】
次に、図５を参照しつつ、表示装置１の電気的構成について説明する。
表示装置１は、第１表示部１０、第２表示部２０及び光源ユニット９０を制御する制御部１００を備える。
制御部１００は、動作プログラムが記憶されるＲＯＭ（Read Only Memory）、記憶される動作プログラムを実行することで表示装置１の動作処理を実行するＣＰＵ（Central Processing Unit）、第１表示部１０及び第２表示部２０に表示させる画像を生成するグラフィックコントローラ (Graphics Controller)及びＣＰＵのワークエリアとして利用されるＲＡＭ（Random Access Memory）等を備える。
【００２３】
本例では、制御部１００は、空間像面５０への空間像５１の表示内容に応じて、光源９２Ｒ，９２Ｌを点灯及び消灯させる。例えば、制御部１００は、第２表示部２０を介して空間像面５０に空間像５１を表示する場合、光源９２Ｒ，９２Ｌを点灯させる。これにより、ガイドフレーム３０が点灯する。この際、本例では、制御部１００は、光源９２Ｒ，９２Ｌを互いに同一の発光強度により発光させる。
一方、制御部１００は、第２表示部２０を介して空間像面５０に空間像５１を表示しない場合、光源９２Ｒ，９２Ｌを消灯させる。これにより、ガイドフレーム３０が消灯する。
【００２４】
（効果）
以上、説明した第１の実施形態によれば、以下の効果を奏する。
【００２５】
（１）表示装置１は、ケース７０と、ケース７０に設けられる表示面１５を含み、表示面１５に情報を表示する第１表示部１０と、視認者から見て表示面１５から離れて位置する空間像面５０に空間像５１を表示する第２表示部２０と、視認者から見て表示面１５及び空間像面５０の間であって空間像面５０の下方に位置するガイドフレーム３０（ガイド部材）と、を備える。
この構成によれば、ガイドフレーム３０により表示面１５と空間像面５０に一体感を与えることができる。これにより、表示装置１における視認性を向上させることができる。
また、視認者は、ガイドフレーム３０が存在することで、空間像面５０に表示される空間像５１に視点を合わせやすい。これによっても、表示装置１における視認性を向上させることができる。
【００２６】
（２）第２表示部２０はケース７０の上方に空間像面５０を形成する。ガイドフレーム３０は、ケース７０の上面に位置し、フレーム（縁）状に形成される。
この構成によれば、ガイドフレーム３０がフレーム状に形成されるため、表示装置１の意匠性を高めることができる。
【００２７】
（３）ガイドフレーム３０はアーチ状に形成される。空間像面５０は、視認者から見てガイドフレーム３０の頂点に対応して位置する。
この構成によれば、空間像５１に浮遊感を与えることができ、表示装置１の意匠性を高めることができる。
また、ガイドフレーム３０には、ケース７０の上面との間に透視孔３４が形成される。よって、視認者は、透視孔３４を介して表示装置１の後方を視認することができる。
【００２８】
（４）表示装置１は、ガイドフレーム３０を点灯させる光源ユニット９０を備える。
この構成によれば、ガイドフレーム３０を点灯させることで、ガイドフレーム３０を目立たせることができる。
【００２９】
（５）ガイドフレーム３０は光透過性樹脂により形成され、ガイドフレーム３０の右側端部３０Ｒ（一端）及び左側端部３０Ｌ（他端）は、それぞれケース７０の上面に位置する。表示装置１は、ガイドフレーム３０の右側端部３０Ｒに光を照射する光源９２Ｒ（第１の光源）と、ガイドフレーム３０の左側端部３０Ｌに光を照射する光源９２Ｌ（第２の光源）と、を備える。
この構成によれば、ガイドフレーム３０の右側端部３０Ｒ及び左側端部３０Ｌに光を照射するエッジライト方式によりガイドフレーム３０を点灯させる。この方式では、光源９２Ｒ，９２Ｌはケース７０内に収納されて外部に露出しないため、表示装置１の意匠性を高めることができる。
【００３０】
（６）第２表示部２０は、ケース７０内に設けられ空間像５１を表す表示光Ｌを照射する表示器２３と、表示器２３からの表示光Ｌに基づきケース７０の外部に位置する空間像面５０に空間像５１を結像させるマイクロミラーアレイ４０（結像光学パネル）と、を備える。表示装置１は、視認者から見て空間像面５０の背景となるように位置し、マイクロミラーアレイ４０に積層されるスモーク層６０を備える。
この構成によれば、スモーク層６０により、空間像面５０の背景が暗くなり、背景と空間像５１とのコントラストを上げることができる。
また、スモーク層６０は、外光を吸収又は反射するため外光がケース７０内に侵入することが抑制され、ひいては、外光が表示光Ｌに混じることで空間像５１の表示品位が低下することが抑制される。
【００３１】
（７）空間像面５０は、表示面１５と同一方向に沿って延びる。
この構成によれば、表示面１５と空間像面５０が同一方向に沿うため、表示面１５と空間像面５０に一体感を与えることができ、表示装置１の視認性を高めることができる。
【００３２】
（８）ガイドフレーム３０は、表示装置１の側方から見て表示面１５に沿うように傾斜して形成される。
この構成によれば、ガイドフレーム３０と表示面１５に一体感を与えることができる。これにより、表示装置１における視認性を向上させることができる。
【００３３】
（第２の実施形態）
本発明に係る表示装置の第２の実施形態について説明する。本実施形態では、ガイドフレームの構成が上記第１の実施形態と異なる。以下、上記第１の実施形態との相違点を中心に説明する。
【００３４】
図６〜図８に示すように、ガイドフレーム１３０は、視認者から見て上下方向に並ぶ第１〜第３導光部材１３１〜１３３を備える。第１〜第３導光部材１３１〜１３３はそれぞれ径の異なるアーチ状をなす。
【００３５】
図６（ａ）に示すように、第２導光部材１３２は第１導光部材１３１よりも大きい径をなし、第３導光部材１３３は第２導光部材１３２よりも大きい径をなす。第２導光部材１３２は、視認者から見て、第１導光部材１３１の上方に位置し、第３導光部材１３３は、視認者から見て、第２導光部材１３２の上方に位置する。
【００３６】
図６（ｂ）に示すように、第１〜第３導光部材１３１〜１３３は、前後方向に沿って並べられている。第１導光部材１３１は第２導光部材１３２よりも前方に位置し、第２導光部材１３２は第３導光部材１３３よりも前方に位置する。
【００３７】
光源ユニット９０は、第１〜第３導光部材１３１〜１３３毎に２つずつ計６つの光源９２Ｒａ，９２Ｌａ，９２Ｒｂ，９２Ｌｂ，９２Ｒｃ，９２Ｌｃを備える。各光源９２Ｒａ，９２Ｌａ，９２Ｒｂ，９２Ｌｂ，９２Ｒｃ，９２Ｌｃは基板９１の上面に実装されている。
光源９２Ｒａは第１導光部材１３１の右側端部に対向する位置に設けられ、光源９２Ｌａは第１導光部材１３１の左側端部に対向する位置に設けられている。すなわち、光源９２Ｒａは第１導光部材１３１の右側端部に光を出射し、光源９２Ｌａは第１導光部材１３１の左側端部に光を出射する。
光源９２Ｒｂは第２導光部材１３２の右側端部に対向する位置に設けられ、光源９２Ｌｂは第２導光部材１３２の左側端部に対向する位置に設けられている。すなわち、光源９２Ｒｂは第２導光部材１３２の右側端部に光を出射し、光源９２Ｌｂは第２導光部材１３２の左側端部に光を出射する。
光源９２Ｒｃは第３導光部材１３３の右側端部に対向する位置に設けられ、光源９２Ｌｃは第３導光部材１３３の左側端部に対向する位置に設けられている。すなわち、光源９２Ｒｃは第３導光部材１３３の右側端部に光を出射し、光源９２Ｌｃは第３導光部材１３３の左側端部に光を出射する。
【００３８】
制御部１００は、第１導光部材１３１に対応する光源９２Ｒａ，９２Ｌａ、第２導光部材１３２に対応する光源９２Ｒｂ，９２Ｌｂ、第３導光部材１３３に対応する光源９２Ｒｃ，９２Ｌｃの何れかを点灯させることで、図６〜図８に示すように、第１〜第３導光部材１３１〜１３３の何れかを点灯させる。
【００３９】
詳しくは、制御部１００は、第１導光部材１３１に対応する光源９２Ｒａ，９２Ｌａを点灯させ、他の光源９２Ｒｂ，９２Ｌｂ，９２Ｒｃ，９２Ｌｃを消灯させる。これにより、図６（ａ），（ｂ）に示すように、第１導光部材１３１を点灯させ、第２導光部材１３２及び第３導光部材１３３を消灯させることができる。
また、制御部１００は、第２導光部材１３２に対応する光源９２Ｒｂ，９２Ｌｂを点灯させ、他の光源９２Ｒａ，９２Ｌａ，９２Ｒｃ，９２Ｌｃを消灯させる。これにより、図７（ａ），（ｂ）に示すように、第２導光部材１３２を点灯させ、第１導光部材１３１及び第３導光部材１３３を消灯させることができる。
また、制御部１００は、第３導光部材１３３に対応する光源９２Ｒｃ，９２Ｌｃを点灯させ、他の光源９２Ｒａ，９２Ｌａ，９２Ｒｂ，９２Ｌｂを消灯させる。これにより、図８（ａ），（ｂ）に示すように、第３導光部材１３３を点灯させ、第１導光部材１３１及び第２導光部材１３２を消灯させることができる。
制御部１００は、空間像５１の表示内容に応じて、第１〜第３導光部材１３１〜１３３を順に点灯させる。例えば、空間像５１を非表示状態から表示状態に切り替える際に、第１導光部材１３１、第２導光部材１３２及び第３導光部材１３３の順で点灯させる。
【００４０】
（効果）
以上、説明した第２の実施形態によれば、以下の効果を奏する。
【００４１】
（１）ガイドフレーム１３０（ガイド部材）は、視認者から見て上下方向に並ぶ第１〜第３導光部材１３１〜１３３を備える。光源９２Ｒａ，９２Ｌａ，９２Ｒｂ，９２Ｌｂ，９２Ｒｃ，９２Ｌｃは、第１〜第３導光部材１３１〜１３３に対応して設けられ、第１〜第３導光部材１３１〜１３３を異なるタイミングで点灯させる。
この構成によれば、ガイドフレーム１３０をより目立たせることができる。
【００４２】
（第３の実施形態）
本発明に係る表示装置の第３の実施形態について図９〜図１１を参照しつつ説明する。本実施形態では、上記第１の実施形態のガイドフレームに代えてガイドプレートが採用される。以下、上記第１の実施形態との相違点を中心に説明する。
【００４３】
図９及び図１０（ａ）〜（ｃ）に示すように、ガイドプレート２３０は、視認者から見て左右方向に延びる略三角柱状をなし、第１表示部１０の表示面１５と空間像面５０の間に位置する傾斜面２３１を有する。傾斜面２３１は、上方に向かうにつれて後方へ傾斜している。ガイドプレート２３０は、図１１に示すように、後方に向けて開口した中空状に形成される。ガイドプレート２３０の前端は表示面１５の上部に位置し、ガイドプレート２３０の後端は空間像面５０の下部に位置する。ガイドプレート２３０は、光透過性を有しない遮光性を有する樹脂により形成される。本実施形態では、表示装置１には光源ユニット９０が設けられていない。
【００４４】
（効果）
以上、説明した第３の実施形態によれば、以下の効果を奏する。
【００４５】
（１）空間像面５０は、第１表示部１０の表示面１５よりも視認者から離れた位置に形成される。ガイドプレート２３０は、空間像面５０と表示面１５の間に延びる傾斜面２３１を備える。この傾斜面２３１は、連結面に相当し、表示面１５の上部と空間像面５０の下部との間に延びる。
この構成によれば、ガイドプレート２３０により表示面１５と空間像面５０に一体感を与えることができる。これにより、表示装置１における視認性を向上させることができる。
【００４６】
（第４の実施形態）
本発明に係る表示装置の第４の実施形態について図１２及び図１３を参照しつつ説明する。本実施形態では、ガイドプレートの形状と空間像面５０の位置が上記第３の実施形態と異なる。以下、上記第３の実施形態との相違点を中心に説明する。
【００４７】
図１３に示すように、第２表示部２０は、空間像面５０が表示面１５と同一平面上に位置するように配置される。第２表示部２０は、ケース７０内において第１表示部１０の上方で、かつ後方に位置する。すなわち、図３に示す第１の実施形態に比べて、表示器２３は前方かつ上方に位置する。
【００４８】
図１２（ａ）〜（ｃ）及び図１３に示すように、ガイドプレート３３０は、ケース７０の上面の前縁部に位置する。ガイドプレート３３０は、視認者から見て左右方向に長い略長方形板状をなし、空間像面５０と表示面１５の間に延びる傾斜面３３１を備える。傾斜面３３１は、ガイドプレート３３０の前側に形成され、上方に向かうにつれて後方へ傾斜している。傾斜面３３１の下端は表示面１５の上部に位置し、傾斜面３３１の上端は空間像面５０の下部に位置する。
【００４９】
（効果）
以上、説明した第４の実施形態によれば、以下の効果を奏する。
【００５０】
（１）表示面１５及び空間像面５０は、同一平面上に位置する。
この構成によれば、表示面１５及び空間像面５０に一体感を与えることができ、表示装置１における視認性を向上させることができる。
【００５１】
（変形例）
なお、上記実施形態は、これを適宜変更した以下の形態にて実施することができる。
【００５２】
第２の実施形態における第１〜第３導光部材１３１〜１３３の点灯態様は適宜変更可能である。例えば、第３導光部材１３３、第２導光部材１３２及び第１導光部材１３１の順で点灯させてもよいし、第１導光部材１３１、第２導光部材１３２及び第３導光部材１３３の順で点灯させてもよい。また、第１〜第３導光部材１３１〜１３３を同時に点灯させてもよいし、第１〜第３導光部材１３１〜１３３の少なくとも何れか一つを点滅させてもよい。
また、第１〜第３導光部材１３１〜１３３の数は３つに限らず、２つ又は４つ以上であってもよい。
【００５３】
第１の実施形態においては、制御部１００は、光源９２Ｒ，９２Ｌを互いに同一の発光強度により発光させていた。しかし、制御部１００は、光源９２Ｒ，９２Ｌを互いに異なる発光強度により発光させてもよい。これにより、ガイドフレーム３０の点灯態様を変化させることができる。
また、第１の実施形態においては、制御部１００は、光源９２Ｒ，９２Ｌは何れも白色光を照射していたが、それぞれ異なる色の光を照射してもよい。これにより、ガイドフレーム３０の点灯態様を変化させることができる。
さらに、制御部１００は、光源９２Ｒ，９２Ｌをそれぞれ異なる色で発光させ、かつ各光源９２Ｒ，９２Ｌの発光強度を異ならせてもよい。これにより、ガイドフレーム３０の点灯態様を変化させることができる。
【００５４】
また、制御部１００は、光源９２Ｒ，９２Ｌを同時に点灯又は消灯していたが、光源９２Ｒ，９２Ｌの何れか一方を点灯し、光源９２Ｒ，９２Ｌの何れか他方を消灯してもよい。
例えば、制御部１００は、車載ＥＣＵから右側に関連する情報を受けると、光源９２Ｒを点灯し、光源９２Ｌを消灯させる。これにより、ガイドフレーム３０の右側が点灯する。この際、制御部１００は光源９２Ｒを点滅させてもよい。この右側に関連する情報は、例えば、右側ターンシグナルが点灯する旨の情報、自車両の右側に障害物が接近する旨の情報、又はカーナビゲーションシステムにより自車両を右側に案内する旨の情報である。
また、制御部１００は、車載ＥＣＵから左側に関連する情報を受けると、光源９２Ｌを点灯し、光源９２Ｒを消灯させる。これにより、ガイドフレーム３０の左側が点灯する。この際、制御部１００は光源９２Ｌを点滅させてもよい。この左側に関連する情報は、例えば、左側ターンシグナルが点灯する旨の情報、自車両の左側に障害物が接近する旨の情報、又はカーナビゲーションシステムにより自車両を左側に案内する旨の情報である。
【００５５】
上記各実施形態においては、各光源９２Ｒ，９２Ｌは、ケース７０内に設けられていたが、ケース７０外に設けられていてもよい。例えば、各光源９２Ｒ，９２Ｌはガイドフレーム３０の後面に設けられていてもよい。
【００５６】
上記各実施形態においては、制御部１００は、空間像面５０への空間像５１の表示及び非表示に応じて、光源９２Ｒ，９２Ｌ、ひいてはガイドフレーム３０を点灯及び消灯させていたが、ガイドフレーム３０を点灯及び消灯させるタイミングはこれに限らない。例えば、制御部１００は、空間像面５０への空間像５１の表示内容を切り替えたときに光源９２Ｒ，９２Ｌ、ひいてはガイドフレーム３０を点灯させてもよい。また、制御部１００は、第２表示部２０の表示内容を切り替えたときに光源９２Ｒ，９２Ｌ、ひいてはガイドフレーム３０を点灯させてもよい。
【００５７】
第１の実施形態において、ガイドフレーム３０は、光源９２Ｒ，９２Ｌからの光に基づき、全域にわたって均等に点灯していたが、ガイドフレーム３０の所定の部位にシボ加工又は反射面を形成することで、ガイドフレーム３０の当該所定の部位を他の部位に比べて高い輝度で点灯させてもよい。第２の実施形態も同様に、第１〜第３導光部材１３１〜１３３の所定の部位にシボ加工又は反射面を形成してもよい。これにより、ガイドフレーム３０の点灯態様を変化させることができる。
【００５８】
第３及び第４の実施形態においては、表示装置１には光源ユニット９０が設けられていなかったが、光源ユニット９０が設けられていてもよい。この場合、ガイドプレート２３０，３３０は光透過性樹脂により形成され、光源ユニット９０は、制御部１００による制御のもと、ガイドプレート２３０，３３０に光を照射することでガイドプレート２３０，３３０を点灯させる。
また、第３及び第４の実施形態におけるガイドプレート２３０の上面に透光部材を配置し、その透光部材を点灯させてもよい。さらに、ガイドプレート２３０の上面にも、第１表示部１０と同様の表示部を設けてもよい。
【００５９】
第３の実施形態において、ガイドプレート２３０は、表示装置１の周囲を覆うバイザーと一体化されていてもよい。
【００６０】
上記各実施形態においては、第１表示部１０は、表示パネル１１及びバックライト１２を備えていたが、これに限らず、有機ＥＬディスプレイ（ＯＥＬＤ：Organic Electro-Luminescence Display）を備えていてもよいし、指針、その指針を回転させるモータ及び目盛が形成される文字盤を含む指針計器を備えていてもよい。
【００６１】
第１の実施形態においては、ガイドフレーム３０はアーチ状に形成されていたが、これに限らず、視認者から見て四角形の一辺が省略されたゲート（門）状に形成されてもよい。
また、ガイドフレーム３０は、空間像面５０の下方のみならず、空間像面５０の周囲を囲むようなフレーム状をなしていてもよい。
【００６２】
第１及び第２の実施形態において、ガイドフレーム３０，１３０は光透過性樹脂により形成されていたが、光透過性を有していれば樹脂以外のガラス等により形成されていてもよい。
【００６３】
上記各実施形態における表示装置１において、ガイドフレーム３０，１３０及びガイドプレート２３０，３３０が省略されていてもよい。
【符号の説明】
【００６４】
１  表示装置
１０  第１表示部
１１，２１  表示パネル
１２，２２  バックライト
１３  カバーガラス
１４  インジケータ部
１５  表示面
２０  第２表示部
２３  表示器
３０，１３０  ガイドフレーム
３４  透視孔
４０  マイクロミラーアレイ
５０  空間像面
５１  空間像
６０  スモーク層
７０  ケース
９０  光源ユニット
９１  基板
９２Ｒ，９２Ｌ，９２Ｒａ〜９２Ｒｃ，９２Ｌａ〜９２Ｌｃ  光源
１００  制御部
１３１  第１導光部材
１３２  第２導光部材
１３３  第３導光部材
２３０  ガイドプレート
２３１  傾斜面
【図１】
2019006180.tif 000003
【図２】
2019006180.tif 000004
【図３】
2019006180.tif 000005
【図４】
2019006180.tif 000006
【図５】
2019006180.tif 000007
【図６】
2019006180.tif 000008
【図７】
2019006180.tif 000009
【図８】
2019006180.tif 000010
【図９】
2019006180.tif 000011
【図１０】
2019006180.tif 000012
【図１１】
2019006180.tif 000013
【図１２】
2019006180.tif 000014
【図１３】
2019006180.tif 000015